(57)【要約】【課題】面ファスナの配設位置を車両用シートの着座面側に設定することができながら、シートカバーを取り外して車両用シートを使用するような場合でも、着座者の衣服やゴミ等をくっつけさせてしまったりしないようにする。【解決手段】シートカバー６０に設けられた雄形面ファスナ６５と係着できる雌形面ファスナ３５は、ユーザ自身によってシートカバー６０の着け替えし易くなる、ベースカバー部２２の着座面側に設けられている。シートカバー６０を着けずにベースカバー部２２を表装として使用する場合には、ベースカバー部２２に設けられた雌形面ファスナ３５を被覆しておくためのフラップ部４０がベースカバー部２２に配設されている。このため、シートカバー６０を取り外して車両用シート１０を使用する場合に、フラップ部４０にて雌形面ファスナ３５を被覆しておくことができる。【選択図】図３
2012005688.tif 000002
【特許請求の範囲】
【請求項１】
表装としてのベースカバー部を具備しつつ該ベースカバー部の上にも表装としてのシートカバーを着脱できる車両用シートであって、
前記ベースカバー部の着座面側には、前記シートカバーを着けるに際して該シートカバーに設けられた雌雄いずれか一方の面ファスナと係着できる雌雄いずれか他方の面ファスナが設けられており、
前記ベースカバー部には、前記シートカバーを着けずに該ベースカバー部を表装として使用する場合に、該ベースカバー部に設けられた雌雄いずれか他方の面ファスナを被覆しておくためのフラップ部が該ベースカバー部に配設されていることを特徴とする車両用シート。
【請求項２】
請求項１に記載の車両用シートにおいて、
シートクッションには、着座姿勢後側の端縁部分を座面に対して上方に突き出すように形成された立上り部が設けられており、
前記ベースカバー部に配設される前記雌雄いずれか他方の面ファスナは、前記立上り部に対して配設されており、
前記雌雄いずれか他方の面ファスナを被覆しておくためのフラップ部も、前記立上り部に対して配設されていることを特徴とする車両用シート。
【発明の詳細な説明】
【技術分野】
【０００１】
本発明は、自動車等の車両内に設置される車両用シートに関する。詳しくは、本発明は、表装としてのベースカバー部を具備しつつ該ベースカバー部の上にも表装としてのシートカバーを着脱できる車両用シートに関する。
【背景技術】
【０００２】
従来、自動車等の車両内に設置される車両用シートは、座面となるシートクッションと、背凭れとなるシートバックとを備える。これらシートクッションやシートバックは、表装としてのベースカバー部を具備して構成される。ところで、この種の車両用シートにあっては、近年、ベースカバー部の上にも表装としてのシートカバーを着脱できるように構成されるものが知られている（下記特許文献１）。例えば、下記特許文献１では、互いに係着させる面ファスナを利用して、シートクッションやシートバックにシートカバーを着脱させている。具体的には、シートカバーと、これを着けるシートクッションやシートバックとの両者には、互いに係着できる雌雄対をなす面ファスナがそれぞれ配設されており、これらの面ファスナ同士を互いに係着させて綴じ合わせることにより、シートカバーとシートクッションやシートバックとの両者を接着させて、表装としてシートカバーが配設されるものとしている。
【先行技術文献】
【特許文献】
【０００３】
【特許文献１】実開平６−３６４５０
【発明の概要】
【発明が解決しようとする課題】
【０００４】
ところで、この種のシートカバーにあっては、ユーザ自身の手によって気軽に着け替えることができるようにしておきたいという要請がある。このため、この種のシートカバーの面ファスナの配設位置は、上記した特許文献１にて開示される面ファスナのようにシート背面側に設定するのではなく、ユーザ自身によって着け替えし易いようにシート着座面側に設定しておきたいという要請がある。
しかしながら、このように面ファスナの配設位置をシート着座面側に設定すると、シートカバーを取り外して車両用シートを使用したい場合に、このように配設された面ファスナに着座者の衣服をくっつけて（係着）しまって着座者に不快感を与えてしまったり、ゴミ等がくっつき易くなって（係着）しまって外観意匠を低下させてしまったりする。なお、上記した特許文献１に開示される車両用シートにおける面ファスナはシート背面側に配設されるものであるため、このような問題は生じ難いものとなっていた。
【０００５】
本発明は、このような事情に鑑みなされたものであって、本発明が解決しようとする課題は、ユーザ自身の手によってシートカバーを簡単に着脱することができるように面ファスナの配設位置を車両用シートの着座面側に設定することができながら、シートカバーを取り外して車両用シートを使用するような場合であっても、着座者の衣服やゴミ等をくっつけさせてしまったりしないようにすることにある。
【課題を解決するための手段】
【０００６】
上記した課題を解決するにあたって本発明に係る車両用シートは次の手段を採用する。
すなわち、本発明の第１の発明に係る車両用シートは、表装としてのベースカバー部を具備しつつ該ベースカバー部の上にも表装としてのシートカバーを着脱できる車両用シートであって、前記ベースカバー部の着座面側には、前記シートカバーを着けるに際して該シートカバーに設けられた雌雄いずれか一方の面ファスナと係着できる雌雄いずれか他方の面ファスナが設けられており、前記ベースカバー部には、前記シートカバーを着けずに該ベースカバー部を表装として使用する場合に、該ベースカバー部に設けられた雌雄いずれか他方の面ファスナを被覆しておくためのフラップ部が該ベースカバー部に配設されていることを特徴とする。
【０００７】
この第１の発明に係る車両用シートによれば、シートカバーに設けられた雌雄いずれか一方の面ファスナと係着できる雌雄いずれか他方の面ファスナはベースカバー部の着座面側に設けられているので、面ファスナの配設位置をシート着座面側とすることができて、ユーザ自身によってシートカバーの着け替えし易いものとすることができる。ここで、シートカバーを着けずにベースカバー部を表装として使用する場合には、ベースカバー部に設けられた雌雄いずれか他方の面ファスナを被覆しておくためのフラップ部がベースカバー部に配設されているので、シートカバーを取り外した場合にはフラップ部にてベースカバー部に設けられた面ファスナを被覆しておくことができる。
これによって、ユーザ自身によってシートカバーの着け替えし易いものとすることができながら、シートカバーを取り外して車両用シートを使用する場合に、面ファスナに着座者の衣服をくっつけることをなくして着座感を向上させるとともに、面ファスナにゴミ等をくっつけることをなくして外観意匠を向上させることができる。
【０００８】
第２の発明に係る車両用シートは、前記第１の発明に係る車両用シートにおいて、シートクッションには、着座姿勢後側の端縁部分を座面に対して上方に突き出すように形成された立上り部が設けられており、前記ベースカバー部に配設される前記雌雄いずれか他方の面ファスナは、前記立上り部に対して配設されており、前記雌雄いずれか他方の面ファスナを被覆しておくためのフラップ部も、前記立上り部に対して配設されていることを特徴とする。
【０００９】
この第２の発明に係る車両用シートによれば、ベースカバー部に配設される雌雄いずれか他方の面ファスナは立上り部に対して配設されており、この立上り部はシートクッションの着座姿勢後側の端縁部分を座面に対して上方に突き出すように形成されるものとなっている。ここで、雌雄いずれか他方の面ファスナを被覆しておくためのフラップ部は、立上り部に対して配設されるものとなっているので、フラップ部は乗員の着座する部分とは離れた位置に配置されることとなる。これによって、フラップ部に対する乗員の接触頻度を少ないものとすることができて、面ファスナ同士の係着状態を安定化させることができる。
【発明の効果】
【００１０】
第１の発明に係る車両用シートによれば、ユーザ自身によってシートカバーの着け替えし易いものとすることができながら、面ファスナに着座者の衣服をくっつけることをなくして着座感を向上させるとともに、面ファスナにゴミ等をくっつけることをなくして外観意匠を向上させることができる。
第２の発明に係る車両用シートによれば、フラップ部に対する乗員の接触頻度を少ないものとすることができて、面ファスナ同士の係着状態を安定化させることができる。
【図面の簡単な説明】
【００１１】
【図１】シートカバー配設状態の車両用シートの斜視図である。
【図２】フラップ部外し状態の車両用シートの斜視図である。
【図３】面ファスナ露出状態の車両用シートの斜視図である。
【図４】シートバックを前倒しした場合の車両用シートの斜視図である。
【図５】フラップ部外し状態となっている立上り部の拡大斜視図である。
【図６】シートカバー配設状態の立上り部を示す断面視図である。
【図７】フラップ部にて面ファスナ被覆状態となる立上り部を示す断面視図である。
【発明を実施するための形態】
【００１２】
以下、本発明に係る車両用シートを実施するための形態について、図面を参照しながら説明する。図１〜図４は、車両用シート１０を示している。ここで、図１はシートカバー６０を配設した状態を示すものであり、図２および図３はシートカバー６０を取り外した状態を示すものである。また、図２は、フラップ部４０を外す状態を示すものであり、図３は、雌形面ファスナ３５を露出させた状態を示すものである。また、図４は、アウタシールド１７を取り外した状態でシートバック１１を前倒しした場合の斜視図である。なお、図中における前後左右上下の矢印は、乗員が車両用シート１０に着座した場合の着座姿勢に対するものである。
図１〜図３に示すように、車両用シート１０は、乗員が着座するシートクッション２０と、背凭れとなるシートバック１１とを備える。シートクッション２０は、適宜のブラケット類を介して骨組みとしてのクッションフレームを車両フロアに固定している。また、シートバック１１は、図４に示すように、前倒しすることができるように、連結装置１９を介してシートクッション２０に連結されている。また、図１〜図３に示すように、この車両用シート１０は、シートクッション２０の側部を外装するためのアウタシールド１７が配設されている。このアウタシールド１７は、特に図示していないが、シートバック１１を前倒しの操作を行えるように、図４に示す連結装置１９を操作するための前倒し操作部が設けられている。なお、このシートバック１１には、頭凭れとなるヘッドレスト１２が設けられている。
【００１３】
シートクッション２０について詳細に説明する。
シートクッション２０は、図１〜図４に示すように、乗員が着座する際の着座面となる座面部２１を備えて構成される。この座面部２１は、着座者が快適に座ることができるように、前側やサイド側を適宜に膨出させた形状にて形成されている。ここで図４に示すように、シートクッション２０の座面部２１のうち着座姿勢後側（図示「後側」）の端縁部分には、この座面部２１に対して上方に突き出すようにした立上り部３０が設けられている。ここで、図４に示すように、立上り部３０の側部３１は、上記した連結装置１９を結合しており、この連結装置１９を介してシートバック１１のフレームの一部分（図示符号１１１）とも結合するようになっている。ここで、連結装置１９は、これら結合する立上り部３０の側部３１と。シートバック１１のフレーム１１１とが相対的に回転することができるようにしている。これによって、シートバック１１は、シートクッション２０の立上り部３０の側部３１にて、前倒し可能に傾動軸支されるように連結されるものとなる。つまり、後にも説明するが、シートバック１１は、シートクッション２０に対して重畳するように前倒しすることができる。なお、図４に示すように、シートバック１１を前倒し限界位置まで前倒しした場合には、シートバック１１はシートクッション２０に対して並列した重畳状態となり、このシートバック１１の背面部分（図示符号１１２）をテーブルとして機能させることができるようになっている。ここで、上記したシートクッション２０のうち、座面部２１および立上り部３０を含む外部に露出する部分は、着座面側部分と設定される。
【００１４】
ところで、シートクッション２０は、フレーム（不図示）にて支持されるクッションパッド（不図示）を被覆するベースカバー部２２を備える。このベースカバー部２２は、シートカバー６０を取り外した状態で、シートクッション２０を表装する最外面を形成するものであり、具体的には上記した座面部２１および立上り部３０の表装をなすものである。なお、このベースカバー部２２は、このシートクッション２０の前面部および側面部の範囲に及んで形成されるものであり、次に説明するシートカバー６０と略同様な形状を有して形成される。また、ベースカバー部２２は、次に説明するシートカバー６０と同様、適宜の表皮部材を具備して形成される。
ここでベースカバー部２２の前面部および側面部には、スライド式ファスナ３３が配設されている。このスライド式ファスナ３３は、広く利用されるスライド式のファスナであり、図３に示すシートカバー６０に設けられたスライド式ファスナ６３と噛み合わせて一体化させることができるものである。なお、このベースカバー部２２のスライド式ファスナ３３と、シートカバー６０のスライド式ファスナ６３とを噛み合わせて一体化させた場合には、シートクッション２０にシートカバー６０が着けられたものとなる。また逆に、ベースカバー部２２のスライド式ファスナ３３と、シートカバー６０のスライド式ファスナ６３との噛合せを解除させた場合には、シートクッション２０にシートカバー６０が外されたものとなる。つまり、シートカバー６０はシートクッション２０に対して着脱可能となっており、シートカバー６０が着けられた場合にはシートカバー６０がシートクッション２０の最外面の表装となり、シートカバー６０が外された場合にはベースカバー部２２がシートクッション２０の最外面の表装となる。
【００１５】
図５は、フラップ部４０を外す状態となっている立上り部３０の拡大斜視図である。図６は、シートカバー６０を配設した状態の立上り部３０を示す断面視図である。図７は、シートカバー６０が取り外されてフラップ部４０にて雌形面ファスナ３５を被覆した状態となる立上り部３０を示す断面視図である。なお、図６および図７は、図５におけるＶＩ−ＶＩ断面矢視を示す断面視図である。
着座面側となる立上り部３０のベースカバー部２２には、図３に示すようにシートカバー６０を着けるに際してシートカバー６０に設けられた雄形面ファスナ６５と係着できる雌形面ファスナ３５が設けられている。図５に示すように、この雌形面ファスナ３５は、面状に拡がる面ファスナとして輪状（雌形）に形成されるものである。なお、雌形面ファスナ３５に係着するようにシートカバー６０に設けられる雄形面ファスナ６５は、面状に拡がる面ファスナとして鉤状（雄形）に形成されるものである。より詳細に図５に示す雌形面ファスナ３５を述べると、この雌形面ファスナ３５は、着座面側となる立上り部３０の上半分領域の適宜間隔を有した左右位置に対して、適宜の面積に設定された雌形の面ファスナが１つずつ並べられるようにして配設されるようになっている。
【００１６】
ここで、このベースカバー部２２には、シートカバー６０を着けずにベースカバー部２２を表装として使用する場合に、ベースカバー部２２に設けられた雌形面ファスナ３５を被覆しておくためのフラップ部４０が配設されている。このフラップ部４０は、ベースカバー部２２の材質と同一に形成されるものであり、雌形面ファスナ３５を被覆した場合には、通常のベースカバー部２２のように表装をなすものとなっている。
フラップ部４０は、上記したベースカバー部２２の一部を略長方形の形状に切り取るように形成されるものである。このフラップ部４０は、図５に示すように、立上り部３０に取り付けられる取付け部４１と、折返し可能となる目隠し部４２とを備える。取付け部４１は、図５〜図７に示すように、ベースカバー部２２に縫合部４３により縫合されることにより立上り部３０に取り付けられている。ここで、フラップ部４０の取付け部４１は、立上り部３０の高さ（図示上下長さ）に対する略中間の高さ（図示上下長さ）位置にて、シートクッション２０の幅方向（図示左右方向）に延びるようにして配設されている。ここで、フラップ部４０は、縫合部４３に近接する目隠し部４２側の部分を折り返すことにより、フラップ機能が付されるものとなっている。この目隠し部４２には、上記した立上り部３０のベースカバー部２２に設けられた雌形面ファスナ３５と係着する雄形面ファスナ４５が設けられている。この雄形面ファスナ４５は、図３に示すシートカバー６０に設けられる雄形面ファスナ６５と同様に形成されるものである。具体的には、フラップ部４０の雄形面ファスナ４５は、上記した立上り部３０のベースカバー部２２に設けられた雌形面ファスナ３５と対応するように配設されるものであり、面状に拡がる面ファスナとして鉤状（雄形）に形成されるものである。これにより、図７に示すようにフラップ部４０の目隠し部４２が折り返された場合には、フラップ部４０の雄形面ファスナ４５と立上り部３０の雌形面ファスナ３５とを係着させて、フラップ部４０の目隠し部４２は、立上り部３０の雌形面ファスナ３５を目隠しすることができるようになっている。なお、図６に示すようにシートカバー６０を着ける場合には、立上り部３０の雌形面ファスナ３５に対するフラップ部４０の雄形面ファスナ４５の係着は解除され、フラップ部４０の目隠し部４２を下に垂れ下げるように位置させる。そして、立上り部３０の雌形面ファスナ３５に対してシートカバー６０の雄形面ファスナ６５を係着させるものとなっている。
【００１７】
シートカバー６０について説明すると、シートカバー６０は、図３に示すように、ベースカバー部２２と略同一形状の表装部６１を有して形成されるものである。具体的には、表装部６１は、上記したベースカバー部２２のスライド式ファスナ３３より上側部分の外形に対応した形状を有して形成されている。なお、このシートカバー６０の前面側および側面側の端縁部分には、ベースカバー部２２のスライド式ファスナ３３と噛み合わさるように対応するスライド式ファスナ６３が配設されている。また、シートカバー６０の裏面後側には、上記した立上り部３０の雌形面ファスナ３５に対して係着する雄形面ファスナ６５が、雌形面ファスナ３５に対応する位置に設定されて設けられている。
【００１８】
上記したように構成される車両用シート１０によれば、次のような作用効果を奏することができる。
すなわち、上記した車両用シート１０によれば、シートカバー６０に設けられた雄形面ファスナ６５と係着できる雌形面ファスナ３５はベースカバー部２２の着座面側に設けられているので、この雌形面ファスナ３５の配設位置をシート着座面側とすることができて、ユーザ自身によってシートカバー６０の着け替えし易いものとすることができる。ここで、シートカバー６０を着けずにベースカバー部２２を表装として使用する場合には、ベースカバー部２２に設けられた雌形面ファスナ３５を被覆しておくためのフラップ部４０がベースカバー部２２に配設されているので、シートカバー６０を取り外した場合にはフラップ部４０にて雌形面ファスナ３５を被覆しておくことができる。これによって、ユーザ自身によってシートカバー６０の着け替えし易いものとすることができながら、シートカバー６０を取り外して車両用シート１０を使用する場合に、雌形面ファスナ３５に着座者の衣服をくっつけることをなくして着座感を向上させるとともに、雌形面ファスナ３５にゴミ等をくっつけることをなくして外観意匠を向上させることができる。
また、上記した車両用シート１０によれば、雌形面ファスナ３５を被覆しておくためのフラップ部４０は、立上り部３０に対して配設されるものとなっているので、フラップ部４０は乗員の着座する部分とは離れた位置に配置されることとなる。これによって、フラップ部４０に対する乗員の接触頻度を少ないものとすることができて、面ファスナ３５，４５同士の係着状態を安定化させることができる。
また、上記した車両用シート１０によれば、シートクッション２０には立上り部３０が設けられており、シートバック１１は立上り部３０の側部３１にて前倒し可能に傾動軸支されているので、傾動軸支する支持部分をシートクッション２０から突き出した部分に設定することができる。このため、前倒しによる傾動によって、シートクッション２０の後端部分とシートバック１１の下端部分とが互いに干渉してしまうのを避けることができる。したがって、シートバック１１を前倒しさせた場合には、シートバック１１をシートクッション２０に対して並列する重畳した状態とすることができ、シートバック１１の背面部分は水平方向に延びるように配置させることができる。もって、この背面部分をテーブルのように利用することができる上、省スペース化も図ることができる。
【００１９】
なお、本発明に係る車両用シートにあっては、上記した実施の形態に限定されるものではなく、次のように適宜個所を変更して構成するようにしてもよい。
例えば、上記した実施の形態においては、シートカバーを着脱できる車両用シートとして、乗員が着座するシートクッション２０を例示して説明するものであった。しかしながら、本発明に係るシートカバーを着脱できる車両用シートとしては、このようなシートクッション２０のみに限定されることなく、シートバック１１に関しても上記したようにシートカバーを着脱できるようにするものであってもよい。さらに、このような車両用シート側に設けられる面ファスナを配設位置としては、上記した立上り部３０に限定されることなく、シートクッション２０の着座側となるようにベースカバー部２２の着座面側となる部分であれば、シートクッション２０の何れの部分に配設位置が設定されるものであってもよい。
また、上記した実施の形態においては、シートカバー６０に設けられた面ファスナは鉤状の雄形面ファスナ６５に設定されており、立上り部３０に設けられた面ファスナは輪状の雌形面ファスナ３５に設定されるものであった。しかしながら、これとは逆に、シートカバーに設けられた面ファスナを輪状の雌形面ファスナに設定し、立上り部に設けられた面ファスナを鉤状の雄形面ファスナに設定するものであってもよい。なお、このような場合には、フラップ部に設けられる面ファスナとしては、輪状の雌形面ファスナに設定されることとなる。
また、この面ファスナの配設範囲や配設位置に関しても、上記した実施の形態の態様に限定されることなく、立上り部３０の幅全域に亘って配設されるものであってよく、また立上り部３０の何れの位置において配設されるものであってもよい。
また、上記した実施の形態においては、フラップ部４０は、ベースカバー部２２に縫合部４３により縫合されることにより取り付けられているものであった。しかしながら、本発明に係るフラップ部の配設態様については、さまざまな縫合態様であってもよく、一体化されて配設されるような態様であってもよい。さらに言えば、上記したシートカバーには、フラップ部４０に設けられる雄形面ファスナ４５と係着させるための雌形面ファスナが新たに設けられるものであってもよい。
【符号の説明】
【００２０】
１０  車両用シート
１１  シートバック
１１１  シートバックフレームの一部
１２  ヘッドレスト
１７  アウタシールド
１９  連結装置
２０  シートクッション
２１  座面部
２２  ベースカバー部
３０  立上り部
３１  立上り部の側部
３３  スライド式ファスナ
３５  雌形面ファスナ
４０  フラップ部
４１  取付け部
４２  目隠し部
４３  縫合部
４５  雄形面ファスナ
６０  シートカバー
６１  表装部
６３  スライド式ファスナ
６５  雄形面ファスナ
【図１】
2012005688.tif 000003
【図２】
2012005688.tif 000004
【図３】
2012005688.tif 000005
【図４】
2012005688.tif 000006
【図５】
2012005688.tif 000007
【図６】
2012005688.tif 000008
【図７】
2012005688.tif 000009